(57)【特許請求の範囲】
【請求項１】
複数の太陽電池ストリングの最大電力点追従制御を行う電力制御装置であって、
最大点設定処理を実施するか否かを各々の前記太陽電池ストリング毎に設定するスイッチ部と、
前記最大点設定処理を実施するか否かが各々の前記太陽電池ストリング毎に設定された条件設定情報を前記スイッチ部の設定に基づいて生成する情報生成部と、
各々の前記太陽電池ストリングの動作電流及び動作電圧を検出する検出部の検出結果、及び、前記条件設定情報に基づいて、各々の前記太陽電池ストリングの動作点を設定する動作点設定部と、
各々の前記太陽電池ストリングの発電制御を該動作点で行う発電制御部と、
を備え、
前記最大点設定処理は、所定の動作電圧範囲内において前記太陽電池ストリングの発電電力が最大となる動作電圧に対応する第１動作点を前記検出結果から取得し、該第１動作点を前記太陽電池ストリングの前記動作点として設定する処理であり、
前記動作点設定部は、
前記最大点設定処理を実施することが前記条件設定情報に設定された太陽電池ストリングに対しては、所定のタイミングで前記最大点設定処理を実施し、
前記最大点設定処理を実施しないことが前記条件設定情報に設定された太陽電池ストリングに対しては、前記最大電力点追従制御による第２動作点を前記太陽電池ストリングの前記動作点として設定する電力制御装置。
【請求項２】
複数の太陽電池ストリングの最大電力点追従制御を行う電力制御装置であって、
各々の前記太陽電池ストリングの動作電流及び動作電圧を検出する検出部の検出結果、及び、最大点設定処理を実施するか否かが各々の前記太陽電池ストリング毎に設定された条件設定情報に基づいて、各々の前記太陽電池ストリングの動作点を設定する動作点設定部と、
各々の前記太陽電池ストリングの発電制御を該動作点で行う発電制御部と、
前記条件設定情報を受信する通信部と、
を備え、
前記最大点設定処理は、所定の動作電圧範囲内において前記太陽電池ストリングの発電電力が最大となる動作電圧に対応する第１動作点を前記検出結果から取得し、該第１動作点を前記太陽電池ストリングの前記動作点として設定する処理であり、
前記動作点設定部は、
前記最大点設定処理を実施することが前記条件設定情報に設定された太陽電池ストリングに対しては、所定のタイミングで前記最大点設定処理を実施し、
前記最大点設定処理を実施しないことが前記条件設定情報に設定された太陽電池ストリングに対しては、前記最大電力点追従制御による第２動作点を前記太陽電池ストリングの前記動作点として設定する電力制御装置。
【請求項３】
前記通信部は、自装置を管理する電力管理装置、及び、自装置の外部に設けられた情報通信装置のうちの一方から前記条件設定情報を受信する請求項２に記載の電力制御装置。
【発明の詳細な説明】
【技術分野】
【０００１】
本発明は、電力制御装置に関する。
【背景技術】
【０００２】
近年、太陽光発電システムが一般家庭用の住宅、或いは産業用施設などに導入されつつある。太陽光発電システムでは、太陽電池ストリングの発電電力が電子機器などの電源として利用される。この太陽電池ストリングの最適な発電条件は発電環境に応じて変化する。たとえば、日射光量が変化すると、太陽電池ストリングの最大電力点は変化する。そのため、太陽電池ストリングから発電電力を最大限に取り出すためには、たとえば特許文献１〜４のように最大電力点追従制御（ＭＰＰＴ制御）によって発電環境に応じた最大電力点を取得して、太陽電池ストリングを最大電力点で発電させることが必要となる。
【０００３】
また、太陽電池ストリングの最大電力点は、太陽電池ストリングの受光面に物体の影（所謂部分影）が掛かった場合でも変化し、受光面の汚れの状態によっても変化する。この場合、特許文献１に示すようにＭＰＰＴ制御の際、電力点のピークが複数検出され、太陽電池ストリングを最大電力点で発電させることができない場合がある。
【０００４】
このように部分影が掛かった場合及び受光面が汚れた場合にも対応できるようにするため、たとえば、特許文献１では、電力点の複数のピークを比較し、それらの最大値を最大電力点に決定してＭＰＰＴ制御を行っている。また、特許文献２では、定期的に太陽電池ストリングの動作電流Ｉ及び動作電圧Ｖを検出してそのＩ−Ｖ曲線から最大電力点を決定している。また、特許文献３では、定期的にパイロットモジュール及びメインモジュールのＭＰＰＴ制御を行う。そして、メインモジュールの発電電力がパイロットモジュールの発電電力のＮ倍未満であれば、部分陰が掛かったと判定して予め定められた範囲のＩ−Ｖ曲線をトレースして最大電力点を決定している。また、特許文献４では、ＭＰＰＴ制御による最大電力点データと日射データ及び温度データなどに基づく最大電力点データとの差が閾値より大きければ部分陰が掛かっていると判断し、Ｉ−Ｖ曲線をトレースして最大電力点を決定している。
【先行技術文献】
【特許文献】
【０００５】
【特許文献１】特開平７−２２５６２４号公報
【特許文献２】特開２０１２−１７４０７０号公報
【特許文献３】特開２０１２−１２９４６９号公報
【特許文献４】特開２０１２−２８４３５号公報
【発明の概要】
【発明が解決しようとする課題】
【０００６】
しかしながら、特許文献１〜２では、定期的に最大電力点Ｐｍａｘの決定を行う必要があり、部分影が全く掛からない環境下であってもＩ−Ｖ曲線を広範囲にトレースしてしまう。その間では、太陽電池ストリングは最大電力点で発電できないため、定期的に無駄な発電損失が発生する恐れがある。また、特許文献３では、メイン回路とは別にパイロットモジュールとパイロットインバータの回路を追加する必要がある。特許文献４では、日射データを作成する回路及び温度センサなどを追加する必要もある。
【０００７】
本発明は、このような状況を鑑みてなされたものであり、回路及びセンサなどを追加することなく、所定の動作電圧範囲内で発電電力が最大となる動作点を設定する際に発生する不要な電力損失を軽減することができる電力制御装置を提供することを目的とする。
【課題を解決するための手段】
【０００８】
上記目的を達成するために、本発明の一の態様による電力制御装置は、複数の太陽電池ストリングの最大電力点追従制御を行う電力制御装置であって、各々の太陽電池ストリングの動作電流及び動作電圧を検出する検出部の検出結果、及び、条件設定情報に基づいて各々の太陽電池ストリングの動作点を設定する動作点設定部と、各々の太陽電池ストリングの発電制御を該動作点で行う発電制御部と、を備え、条件設定情報には、所定の動作電圧範囲内において太陽電池ストリングの発電電力が最大となる動作電圧に対応する動作点を取得して該太陽電池ストリングに設定する最大点設定処理を実施するか否かが各々の太陽電池ストリング毎に設定され、動作点設定部は、最大点設定処理を実施することが設定された太陽電池ストリングには所定のタイミングで最大点設定処理を実施する構成とされる。
【０００９】
上記構成の電力制御装置は、最大点設定処理を実施するか否かを各々の太陽電池ストリング毎に設定するスイッチ部と、スイッチ部の設定に基づいて条件設定情報を生成する情報生成部と、をさらに備える構成としてもよい。
【００１０】
上記構成の電力制御装置は、条件設定情報を受信する通信部をさらに備える構成としてもよい。
【００１１】
上記構成の電力制御装置は、複数の太陽電池ストリングの発電電力を監視する発電監視部と、各々の発電電力の変化に基づいて、条件設定情報を生成する情報生成部と、をさらに備える構成としてもよい。
【００１２】
上記構成の電力制御装置は、発電監視部は、第１太陽電池ストリングの第１発電電力に対する該第１太陽電池ストリングよりも発電容量が小さい第２太陽電池ストリングの第２発電電力の電力比率を算出し、情報生成部は、電力比率が下限閾値未満であれば、第２太陽電池ストリングに所定のタイミングで最大点設定処理を実施することを条件設定情報に設定し、電力比率が上限閾値を越えると、第１太陽電池ストリングに所定のタイミングで最大点設定処理を実施することを条件設定情報に設定する構成としてもよい。
【００１３】
上記構成の電力制御装置は、下限閾値及び上限閾値は、所定期間における複数の太陽電池ストリングの各々の発電電力の総電力量比に基づいて設定される構成としてもよい。
【００１４】
上記構成の電力制御装置は、発電監視部は、所定の理論電力に対する発電電力の比が閾値未満、又は発電電力が電力閾値未満となる第３太陽電池ストリングを検知し、情報生成部は、第３太陽電池ストリングに最大点設定処理を実施することを条件設定情報に設定する構成としてもよい。
【発明の効果】
【００１５】
本発明によれば、回路及びセンサなどを追加することなく、所定の動作電圧範囲内で発電電力が最大となる動作点を設定する際に発生する不要な電力損失を軽減することができる。
【図面の簡単な説明】
【００１６】
【図１】太陽光発電システムの構成例を示すブロック図である。
【図２】第１実施形態での太陽電池ストリングの発電制御例を示す概念図である。
【図３】第２実施形態の第１実施例における太陽電池ストリングの発電制御例を示す概念図である。
【図４】第２実施形態の第３実施例における太陽電池ストリングの発電制御例を示す概念図である。
【図５】第２実施形態の第４実施例における太陽電池ストリングの発電制御例を示す概念図である。
【図６】太陽光発電システムの他の構成例を示すブロック図である。
【発明を実施するための形態】
【００１７】
以下に、図面を参照して、本発明の実施形態を説明する。
【００１８】
＜第１実施形態＞
図１は、太陽光発電システム１００の構成例を示すブロック図である。太陽光発電システム１００は、商用電力系統ＣＳと系統連系運転が可能な分散型電源であり、太陽電池ストリングＰＶを有している。太陽光発電システム１００は、たとえば単相三線の通電路Ｐを介して商用電力系統ＣＳと電気的に接続されている。この太陽光発電システム１００では、太陽電池ストリングＰＶの発電電力を直流から交流に変換し、太陽光発電システム１００から通電路Ｐを介して商用電力系統ＣＳに電力を伝送（すなわち逆潮流）して、該電力を電力会社などに売電することが可能となっている。また、商用電力系統ＣＳから通電路Ｐへ電力の供給を受けて、電力会社などから該電力を買電することもできる。以下では、商用電力系統ＣＳに逆潮流（売電）される電力を逆潮流電力と呼び、商用電力系統ＣＳから通電路Ｐに供給される電力を順潮流電力と呼ぶ。
【００１９】
通電路Ｐは、第１通電路Ｐａと第２通電路Ｐｂとを含んで構成されている。第１通電路Ｐａは商用電力系統ＣＳに接続され、第２通電路Ｐｂは後述するパワーコンディショナ１に接続されている。なお、以下では、パワーコンディショナ１をＰＣＳ（Power Conditioning System）１と呼ぶ。また、通電路Ｐ上の第１通電路Ｐａ及び第２通電路Ｐｂ間には、電力負荷Ｌが接続されている。この電力負荷Ｌは、たとえば家庭内の電化製品、工場の設備装置などの電力負荷（機器）であり、通電路Ｐから供給される電力ＷＬを消費する。なお、以下では、電力負荷Ｌで消費される電力ＷＬを消費電力ＷＬと呼ぶ。
【００２０】
次に、太陽光発電システム１００の構成について説明する。太陽光発電システム１００は、図１に示すように、電力量計Ｍと、太陽電池ストリングＰＶと、パワーコンディショナ１と、コントローラ３と、を備えている。
【００２１】
電力量計Ｍは商用電力系統ＣＳ及び電力負荷Ｌ間における第１通電路Ｐａ上の受電点（不図示）に設けられている。電力量計Ｍは、第１通電路Ｐａ上の受電点において電力Ｗｒが流れる方向、その電力値（［Ｗ］）及び電力量（［Ｗｈ］）を検出する電力検出器であり、その検出結果を示す検出情報をコントローラ３に出力する。なお、以下では、電力量計Ｍが検出する電力Ｗｒを受電点電力Ｗｒと呼ぶ。また、電力量計Ｍは、商用電力系統ＣＳから離れる方向に流れる受電点電力Ｗｒの電力値を正の値で示し、商用電力系統ＣＳに向かう方向に流れる受電点電力Ｗｒの電力値を負の値で示す。すなわち、電力量計Ｍは、順潮流電力の電力値を受電点電力Ｗｒの正の値で示し、逆潮流電力の電力値を受電点電力Ｗｒの負の値で示す。
【００２２】
太陽電池ストリングＰＶは、太陽電池ストリングＰＶａ及び太陽電池ストリングＰＶｂを含んで構成されている。各太陽電池ストリングＰＶａ及びＰＶｂは、１又は直列接続された複数の太陽電池モジュールを含む発電装置であり、ＰＣＳ１に接続されている。各太陽電池ストリングＰＶａ及びＰＶｂは、太陽光を受けて発電し、発電した直流電力（発電電力Ｗａ、Ｗｂ）をＰＣＳ１に出力する。なお、以下では発電電力Ｗａ、Ｗｂを総称する際には発電電力Ｗと呼ぶ。また、ＰＣＳ１に接続される太陽電池ストリングＰＶの数は、図１の例示に限定されず、３以上の複数であってもよい。
【００２３】
ＰＣＳ１は、太陽電池ストリングＰＶの電力制御を行う電力制御装置である。ＰＣＳ１は、通電路Ｐ（第２通電路Ｐｂ）と太陽電池ストリングＰＶａ、ＰＶｂとの間に設けられて両者と電気的に接続され、さらに通電路Ｐを介して商用電力系統ＣＳと接続されている。ＰＣＳ１は、太陽電池ストリングＰＶａ、ＰＶｂの発電を制御し、発電電力Ｗａ、Ｗｂを電力変換して第２通電路Ｐｂに出力する。
【００２４】
ＰＣＳ１は、通常時には、たとえば最大電力点追従（ＭＰＰＴ；Maximum Power Point Tracking）制御により、発電電力Ｗａ、Ｗｂが最大となる最大電力点Ｐｍａｘで動作するように太陽電池ストリングＰＶａ、ＰＶｂの動作点Ｐ（特に動作電圧Ｖ）を制御する。ＭＰＰＴ制御の方法は特に限定しないが、たとえば山登り法を用いることができる。但し、ＰＣＳ１は、太陽電池ストリングＰＶａ、ＰＶｂの発電を制限する必要がある場合、太陽電池ストリングＰＶａ、ＰＶｂの動作点Ｐを最大電力点Ｐｍａｘからずれた値に設定して、その発電電力Ｗａ、Ｗｂを調整することもできる。
【００２５】
このＰＣＳ１は、２つのＤＣ／ＤＣコンバータ１１ａ、１１ｂと、インバータ１２と、平滑コンデンサ１３と、通信部１５と、メモリ１６と、ディップスイッチ１７と、ＩＣ１８と、を有している。
【００２６】
ＤＣ／ＤＣコンバータ１１ａ、１１ｂは、太陽電池ストリングＰＶ及びバスラインＢＬ間に設けられる発電電力変換部であり、バスラインＢＬを介してインバータ１２に接続されている。ＤＣ／ＤＣコンバータ１１ａは太陽電池ストリングＰＶａに接続され、ＤＣ／ＤＣコンバータ１１ｂは太陽電池ストリングＰＶｂに接続されている。また、ＤＣ／ＤＣコンバータ１１ａ、１１ｂはそれぞれ太陽電池ストリングＰＶａ、ＰＶｂに逆電流が流れることを防止している。
【００２７】
ＤＣ／ＤＣコンバータ１１ａは変圧回路１１１ａ、電流検出部１１２ａ、及び電圧検出部１１３ａを含んで構成され、ＤＣ／ＤＣコンバータ１１ｂは変圧回路１１１ｂ、電流検出部１１２ｂ、及び電圧検出部１１３ｂを含んで構成される。なお、ＤＣ／ＤＣコンバータ１１ａ、１１ｂの構成は同様であるため、以下では両者を総称する際にはＤＣ／ＤＣコンバータ１１と呼ぶ。変圧回路１１１ａ、１１１ｂ、電流検出部１１２ａ、１１２ｂ、及び電圧検出部１１３ａ、１１３ｂも総称する際にはそれぞれ変圧回路１１１、電流検出部１１２、及び電圧検出部１１３と呼ぶ。また、ＰＣＳ１に設けられるＤＣ／ＤＣコンバータ１１の数は、図１の例示に限定されず、３以上の複数であってもよい。
【００２８】
変圧回路１１１は、太陽電池ストリングＰＶに接続されて発電電力Ｗを所定電圧値の直流の電力に変換してバスラインＢＬに出力する。変圧回路１１１での電力変換はＩＣ１８により制御される。また、変圧回路１１１は、ＩＣ１８の制御に基づいて、太陽電池ストリングＰＶの動作点Ｐ（たとえば動作電圧Ｖ）をＩＣ１８が指令する範囲で変化させる。たとえば、変圧回路１１１は、後述する条件設定情報にて後述する最大点設定処理が”実施する”と設定されている太陽電池ストリングＰＶに対して、所定のタイミングで所定の動作電圧範囲内でのＩ−Ｖ曲線をトレースすべく、動作点Ｐを変化させる。なお、最大点設定処理における上記所定の動作電圧範囲は、通常のＭＰＰＴ制御（たとえば山登り法）の際にトレースされるＩ−Ｖ曲線の動作電圧範囲よりも広く設定されている。たとえば上記所定の動作電圧範囲は、太陽電池ストリングＰＶの動作下限電圧値以上且つ該太陽電池ストリングＰＶの開放電圧以下に設定される。
【００２９】
電流検出部１１２は太陽電池ストリングＰＶの動作電流Ｉを検出してＩＣ１８に出力する。電圧検出部１１３は太陽電池ストリングＰＶの動作電圧Ｖを検出してＩＣ１８に出力する。なお、電流検出部１１２及び電圧検出部１１３は、本発明の検出部の一例である。
【００３０】
インバータ１２は、ＩＣ１８により制御される電力変換部であり、バスラインＢＬ及び第２通電路Ｐｂ間に設けられている。インバータ１２は、ＰＷＭ（Pulse Width Modulation）制御又はＰＡＭ（Pulse Amplitude Modulation）制御などによって、バスラインＢＬから入力される直流電力を商用電力系統ＣＳ及び電力負荷Ｌの電力規格に応じた交流周波数の交流電力ＷｏにＤＣ／ＡＣ変換して第２通電路Ｐｂに出力することができる。
【００３１】
平滑コンデンサ１３は、バスラインＢＬに接続され、バスラインＢＬを流れる電力のバス電圧値の変動を除去又は軽減する。
【００３２】
通信部１５は、コントローラ３と無線通信又は有線通信する通信インターフェースである。たとえば、通信部１５は、ＤＣ／ＤＣコンバータ１１及びインバータ１２の動作状態（特に、電力変換量、電力変換方向、定格電力Ｅ１など）をコントローラ３に送信する。また、通信部１５は、コントローラ３からＰＣＳ１の電力制御を管理するための制御情報を受信する。
【００３３】
メモリ１６は、電力を供給しなくても格納された情報を非一時的に保持する不揮発性の記憶媒体である。メモリ１６は、本発明の記憶部の一例であり、ＰＣＳ１の各構成要素（特にＩＣ１８）で用いられる制御情報及びプログラム、条件設定情報などを格納している。条件設定情報には、最大点設定処理を実施するか否かが各々の太陽電池ストリングＰＶ毎に設定されている。なお、最大点設定処理は、所定の動作電圧範囲内において太陽電池ストリングＰＶの発電電力Ｗが最大となる動作電圧Ｖに対応する動作点Ｐ（すなわち最大電力点Ｐｍａｘ）を取得して該太陽電池ストリングＰＶに設定する処理である。最大点設定処理では、所定の動作電圧範囲内におけるＩ−Ｖ曲線に複数の極大点が現れる場合に、該複数の極大点のうちの最大の極大点に対応する動作点Ｐを最大電力点Ｐｍａｘとして取得して太陽電池ストリングＰＶに設定する。
【００３４】
なお、条件設定情報は、後述するようにＩＣ１８の情報生成部１８４で生成又は編集されるが、通信部１５で受信された条件設定情報であってもよい。なお、通信部１５で受信される場合、条件設定情報は、コントローラ３でのユーザ入力に基づいて設定された情報であってもよいし、コントローラ３を介して後述するネットワークＮＴから転送された情報であってもよい。或いは、たとえばスマートフォン、リモートコントローラなどの他の情報通信装置から送信された情報であってもよい。また、情報生成部１８４で生成又は編集された条件設定情報と、通信部１５で受信された条件設定情報との両方がある場合、どちらか一方が自動的に選択されてもよいし、どちらを選択するかを予めユーザが設定できる構成であってもよい。
【００３５】
ディップスイッチ１７は、最大点設定処理を実施するか否かを各太陽電池ストリングＰＶａ、ＰＶｂ毎に設定するスイッチ部である。
【００３６】
ＩＣ１８は、メモリ１６に格納された情報及びプログラム、コントローラ３から出力される制御情報などを用いて、ＰＣＳ１の各構成要素を制御する制御部である。たとえば、ＩＣ１８は、ＤＣ／ＤＣコンバータ１１及びインバータ１２を制御し、特にそれらの電力変換を制御する。このＩＣ１８は、機能的な構成要素として、動作点設定部１８１と、発電制御部１８２と、発電監視部１８３と、情報生成部１８４と、を有している。
【００３７】
動作点設定部１８１は、電圧検出部１１２及び電流検出部１１３の検出結果と条件設定情報とに基づいて各太陽電池ストリングの動作点Ｐを設定する。たとえば、動作点設定部１８１は、最大点設定処理を”実施する”ことが設定された太陽電池ストリングＰＶには所定のタイミングで最大点設定処理を実施する。すなわち、動作点設定部１８１は、最大点設定処理において、所定のタイミングで、通常のＭＰＰＴ制御（たとえば山登り法）の際よりも広い動作電圧範囲内のＩ−Ｖ曲線をトレースし、該Ｉ−Ｖ曲線の極大点を検出する。そして、該Ｉ−Ｖ曲線に現れる極大点が複数であれば、それらのうちの最大の極大点を最大電力点Ｐｍａｘとして取得し、太陽電池ストリングＰＶに設定する（すなわち動作点Ｐ＝Ｐｍａｘ）。但し、動作点設定部１８１は、所定のタイミング以外では、たとえば山登り法などを用いたＭＰＰＴ制御を行う。すなわち、動作点設定部１８１は、現時点での動作点Ｐに最も近いＩ−Ｖ曲線の極大点に対応する動作点Ｐ（＝Ｐｍａｘ）として取得し、太陽電池ストリングＰＶに設定する。なお、最大点設定処理において、Ｉ−Ｖ曲線に現れる極大点が１つであれば、該極大点に対応する動作点Ｐが取得されて設定されることは言うまでもない。また、所定のタイミングは、特に限定しないが、たとえば、工場出荷時に予め設定された時間周期であってもよいし、ユーザ入力に基づいて設定可能な時間周期であってもよい。
【００３８】
また、動作点設定部１８１は、最大点設定処理を”実施しない”と設定された太陽電池ストリングＰＶに対して、所定のタイミングでの最大点設定処理を行わず、たとえば山登り法などによるＭＰＰＴ制御を行う。
【００３９】
発電制御部１８２は、動作点設定部１８１で設定された動作点で各太陽電池ストリングＰＶａ、ＰＶｂの発電制御を行う。
【００４０】
発電監視部１８３は、複数の太陽電池ストリングＰＶａ、ＰＶｂの発電電力Ｗａ、Ｗｂを監視する。
【００４１】
情報生成部１８４は、ディップスイッチ部１７の設定に基づいて条件設定情報を生成及び編集して、メモリ１６に格納する。たとえば、ディップスイッチ部１７において、スイッチが”ＯＮ”に設定されると、情報生成部１８４は、該スイッチに対応する太陽電ストリングＰＶａ、ＰＶｂに最大点設定処理を”実施する”に設定する。また、スイッチが”ＯＦＦ”に設定されると、情報生成部１８４は、該スイッチに対応する太陽電ストリングＰＶａ、ＰＶｂに最大点設定処理を”実施しない”に設定する。
【００４２】
こうすれば、ユーザまたは設置業者が自由に設定可能なディップスイッチ部１７の設定に基づいて、各太陽電ストリングＰＶａ、ＰＶｂでの最大点設定処理を”実施する”／”実施しない”に設定できる。太陽電池ストリングＰＶａ、ＰＶｂ毎に独立して制御を行うＤＣ／ＤＣコンバータ１１ａ、１１ｂはそれぞれ、”実施する”と設定された太陽電池ストリングＰＶには、所定のタイミングでの最大点設定処理を実施する。一方、ＤＣ／ＤＣコンバータ１１ａ、１１ｂはそれぞれ、”実施しない”と設定された太陽電池ストリングＰＶには、所定のタイミングでの最大点設定処理を実施しない。
【００４３】
次に、コントローラ３について説明する。コントローラ３は、商用電力系統ＣＳと連系運転可能なＰＣＳ１を制御・管理する電力管理装置である。コントローラ３は、図１に示すように、表示部３１と、入力部３２と、通信部３３と、通信Ｉ／Ｆ３４と、メモリ３５と、ＣＰＵ３６と、を備えている。
【００４４】
表示部３１はディスプレイ（不図示）に太陽光発電システム１００に関する情報などを表示する。入力部３２は、ユーザ入力を受け付け、該ユーザ入力に応じた入力情報をＣＰＵ３６に出力する。通信部３３は、ＰＣＳ１と無線通信又は有線通信する通信インターフェースである。通信部３３は、たとえば、ＰＣＳ１の電力変換に関する情報を受信してＣＰＵ３６に出力し、ＣＰＵ３６から出力される制御情報をＰＣＳ１に送信する。また、通信部３３は、たとえば、ＰＣＳ１の電力変換に関する情報などを受信する。通信Ｉ／Ｆ３４は、ネットワークＮＴ（たとえばインターネット）に接続される通信インターフェースである。
【００４５】
メモリ３５は、電力を供給しなくても格納された情報を非一時的に保持する記憶媒体である。メモリ３５は、コントローラ３の各構成要素（特にＣＰＵ３６）で用いられる様々な情報及びソフトウェアプログラムなどを格納している。
【００４６】
ＣＰＵ３６は、メモリ３５に格納された制御情報及びプログラムなどを用いて、コントローラ３の各構成要素を制御する。ＣＰＵ３６は、機能的な構成要素として、情報取得部３６１と、電力監視部３６２と、を有している。
【００４７】
情報取得部３６１は、通信Ｉ／Ｆ３４を介してネットワークＮＴからさまざまな情報（たとえば条件設定情報）を取得できる。
【００４８】
電力監視部３６２は、太陽光発電システム１００の電力を監視する。電力監視部３６２は、電力量計Ｍの検出結果に基づいて受電点電力Ｗｒを検知する。また、電力監視部３６２は、ＰＣＳ１の出力電力Ｗｏを検知する。さらに、電力監視部３６２は、たとえば電力量計Ｍが検知する受電点電力Ｗｒ及び通信部３３が受信するＰＣＳ１の出力電力Ｗｏに基づいて消費電力ＷＬを検知することもできる。なお、消費電力ＷＬの検知に際して、電力負荷Ｌ及び通電路Ｐ間に消費電力ＷＬを検出する他の電力量計（不図示）を設けてもよい。この場合、電力監視部３６２は該他の電力量計の検出結果に基づいて消費電力ＷＬを検知することができる。このほか、電力監視部３６２は、通信部３３によって太陽電池ストリングＰＶａ、ＰＶｂの各発電電力Ｗａ、Ｗｂを検知することもできる。
【００４９】
次に、本実施形態での発電制御例を説明する。図２は、第１実施形態での太陽電池ストリングＰＶの発電制御例を示す概念図である。図２に示すように、たとえば家屋の屋根に２つの太陽電池ストリングＰＶａ、ＰＶｂの太陽光パネルが設置されてＰＣＳ１に接続されている状態で、太陽電池ストリングＰＶａにのみ夕方になると影Ｓが掛かることを想定する。この場合、影Ｓが掛かる一方の太陽電池ストリングＰＶａではＩ−Ｖ曲線に複数の極大値が現れることがあるが、影Ｓが掛からない他方の太陽電池ストリングＰＶｂではＩ−Ｖ曲線に１つの極大値しか現れない。
【００５０】
そのため、影Ｓが掛かる一方の太陽電池ストリングＰＶａに対して最大点設定処理を”実施する”と設定すれば、影Ｓが掛かる一方の太陽電池ストリングＰＶａでは、所定のタイミングで最大点設定処理が実施される。すなわち、所定のタイミングで、発電電力Ｗが最も大きくなる動作点Ｐｍａｘが一方の太陽電池ストリングＰＶａに設定される。また、一日を通して影Ｓが掛かることのない他方の太陽電池ストリングＰＶｂに対して最大点設定処理を”実施しない”と設定すれば、他方の太陽電池ストリングＰＶｂでは最大点設定処理が実施されずに、通常のＭＰＰＴ制御が連続して行われる。そのため、不要な最大点設定処理を行うことがないので、不要な最大点設定処理に伴う電力損失を軽減することが可能となる。
【００５１】
以上に説明した本実施形態によれば、電力制御装置１は、複数の太陽電池ストリングＰＶの最大電力点追従（ＭＰＰＴ）制御を行う。電力制御装置１は、各々の太陽電池ストリングＰＶａ、ＰＶｂの動作電流Ｉ及び動作電圧Ｖを検出する検出部１１２ａ、１１３ａ、１１２ｂ、１１３ｂの検出結果、及び、条件設定情報に基づいて各々の太陽電池ストリングＰＶａ、ＰＶｂの動作点Ｐを設定する動作点設定部１８１と、各々の太陽電池ストリングＰＶａ、ＰＶｂの発電制御を該動作点Ｐで行う発電制御部１８２と、を備える。条件設定情報には、所定の動作電圧範囲内において太陽電池ストリングＰＶの発電電力Ｗが最大となる動作電圧Ｖに対応する動作点Ｐｍａｘを取得して該太陽電池ストリングＰＶに設定する最大点設定処理を実施するか否かが各々の太陽電池ストリングＰＶａ、ＰＶｂ毎に設定される。動作点設定部１８１は、最大点設定処理を実施することが設定された太陽電池ストリングＰＶａには所定のタイミングで最大点設定処理を実施する。なお、動作点設定部１８１は、最大点設定処理を実施しないことが設定された太陽電池ストリングＰＶｂには最大点設定処理を実施せずに、最大電力点追従（ＭＰＰＴ）制御を行う。
【００５２】
この構成によれば、最大点設定処理を実施するか否かを各々の太陽電池ストリングＰＶａ、ＰＶｂ毎に設定しておくことができる。最大点設定処理を”実施する”と設定された太陽電池ストリングＰＶでは、所定のタイミングで最大点設定処理が実施される。たとえば図２のように、影Ｓが掛かる頻度が非常に高い太陽電池ストリングＰＶａに、最大点設定処理を”実施する”と設定しておけば、所定のタイミングで最大点設定処理が実施される。すなわち、所定の動作電圧範囲内において太陽電池ストリングＰＶａの発電電力Ｗａが最大となる動作電圧Ｖに対応する動作点Ｐｍａｘが取得されて該太陽電池ストリングＰＶａに設定される。なお、影Ｓが掛かることがほとんどない太陽電池ストリングＰＶｂには、最大点設定処理を”実施しない”と設定しておけば、最大点設定処理が実施されない。従って、回路及びセンサなどを追加することなく、所定の動作電圧範囲内で発電電力が最大となる動作点を設定する際に発生する不要な電力損失を軽減することができる。
【００５３】
また、本実施形態によれば、電力制御装置１は、最大点設定処理を実施するか否かを各々の太陽電池ストリングＰＶ毎に設定するスイッチ部１７と、スイッチ部１７の設定に基づいて条件設定情報を生成する情報生成部１８４とをさらに備える構成とされる。
【００５４】
この構成によれば、スイッチ部１７の設定により、各太陽電池ストリングＰＶａ、ＰＶｂ毎に最大点設定処理を実施するか否かを設定することができる。
【００５５】
また、本実施形態によれば、電力制御装置１は、条件設定情報を受信する通信部１５をさらに備える構成とされる。
【００５６】
この構成によれば、通信部１５を介して外部から条件設定情報を取得することができる。従って、たとえば、インターネットを経由、又はスマートフォン、リモートコントローラなどの他の情報通信装置から条件設定情報を送信することにより、最大点設定処理を実施するか否かを太陽電池ストリングＰＶａ、ＰＶｂ毎に設定することができる。
【００５７】
＜第２実施形態＞
次に、第２実施形態について説明する。第２実施形態では、各発電電力Ｗａ、Ｗｂの変化に基づいて、条件設定情報が生成又は編集されて、太陽電池ストリングＰＶａ、ＰＶｂに最大点設定処理を実施するか否かが設定される。以下では、第１実施形態と異なる構成について説明する。また、第１実施形態と同様の構成要素には同じ符号を付し、その説明を省略することがある。
【００５８】
第２実施形態に係る太陽光発電システム１００の構成は、第１実施形態（図１参照）と同様であるのでその説明は割愛する。なお、該構成において、ディップスイッチ１７は設けられていてもよいし設けられていなくてもよい。但し、ディップスイッチ１７が設けられる場合、ディップスイッチ１７の設定に基づいて情報生成部１８４で生成又は編集された条件設定情報、通信部１５で受信された条件設定情報、及び各発電電力Ｗａ、Ｗｂの変化に基づく条件設定情報のいずれか１つが自動的に選択される。すなわち、選択された条件設定情報が太陽電池ストリングＰＶａ、ＰＶｂに最大点設定処理を実施するか否かの設定に用いられる。或いは、上記条件設定情報のうちのいずれを選択するかをユーザが設定できる構成であってもよい。なお、以下では、各発電電力Ｗａ、Ｗｂの変化に基づく条件設定情報が選択されるものとする。
【００５９】
次に、第１〜第４実施例を挙げて、本実施形態の発電制御例を説明する。なお、理解を容易にするため、第１〜第４実施例では、太陽電池ストリングＰＶａに影Ｓが掛かかることにより発電電力Ｗａが変化する場合を説明する。すなわち、第１〜第４実施例では、特に断りが無い限り、影Ｓが掛からない太陽電池ストリングＰＶｂでは発電電力Ｗｂは変化しないため、最大点設定処理は”実施しない”に設定されたままとなる。そのため、太陽電池ストリングＰＶｂでは、所定のタイミングでの最大点設定処理が実施されず、たとえば山登り法を用いた通常のＭＰＰＴ制御が連続して行われる。
【００６０】
（第１実施例）
第１実施例では、太陽電池ストリングＰＶａ、ＰＶｂの発電電力比Ｒ＝Ｗａ／Ｗｂが発電監視部１８３により算出され、その経時変化に基づいて、条件設定情報が生成又は編集される。図３は、第２実施形態の第１実施例における太陽電池ストリングＰＶの発電制御例を示す概念図である。図３において、太陽電池ストリングＰＶａの発電容量はたとえば１０００［Ｗ］であり、太陽電池ストリングＰＶｂの発電容量はたとえば１５００［Ｗ］である。
【００６１】
当初の時点では、太陽電池ストリングＰＶａ、ＰＶｂには影Ｓが掛かっていない。そのため、各発電電力Ｗａ、Ｗｂは発電容量と同じである場合、発電電力Ｗｂに対する発電電力Ｗａの発電電力比ＲはたとえばＷａ／Ｗｂ≒０．６６７となっている。
【００６２】
当初の時点からたとえば１０［ｍｉｎ］の経過後に、太陽電池ストリングＰＶａに影Ｓが掛かり、発電電力Ｗａが大幅に低下して５００［Ｗ］になった場合を想定する。この際、発電電力比ＲはＷａ／Ｗｂ≒０．３３３と大幅に変化して下限閾値Ｗｓｌ（たとえば０．５００）未満となる。この場合、情報生成部１８４は、発電容量が小さい方の太陽電池ストリングＰＶａでの最大点設定処理を”実施する”に設定する。従って、太陽電池ストリングＰＶａでは、所定のタイミングで最大点設定処理が実施される。ここで、最大点設定処理が実施される太陽電池ストリングＰＶａの動作下限電圧が８０Ｖであり且つ開放電圧が４００Ｖである場合、最大点設定処理では８０Ｖから４００Ｖの動作電圧範囲でＩ−Ｖ曲線のトレースが行われる。トレースされたＩ−Ｖ曲線に現れた１又は複数の極大点のうちの最大の極大点に対応する動作点Ｐが最大電力点Ｐｍａｘとして取得されて太陽電池ストリングＰＶａに設定される。そして、太陽電池ストリングＰＶａは該動作点Ｐ（＝Ｐｍａｘ）を用いてＭＰＰＴ制御される。なお、上記タイミング以外では、太陽電池ストリングＰＶａは、たとえば山登り法を用いてＭＰＰＴ制御される。
【００６３】
また、さらに５［ｍｉｎ］の経過後に、太陽電池ストリングＰＶａ、ＰＶｂのどちらにも影Ｓが掛かっておらず、発電電力Ｗａが増加して１０００［Ｗ］になった場合を想定する。この際、発電電力比ＲはＷａ／Ｗｂ≒０．６６７に変化して上記の下限閾値Ｗｓｌ以上となる。この場合、情報生成部１８４は、発電容量が小さい方の太陽電池ストリングＰＶａでの最大点設定処理を”実施しない”に設定する。従って、太陽電池ストリングＰＶａでは、所定のタイミングでの最大点設定処理が実施されず、たとえば山登り法を用いた通常のＭＰＰＴ制御が連続して行われる。
【００６４】
なお、図３とは異なり、当初の時点からたとえば１０［ｍｉｎ］の経過後にて、発電電力Ｗｂが大幅に低下すると、発電電力比Ｒ（＝Ｗａ／Ｗｂ）は増加して上限閾値Ｗｓｈ（たとえば１．０００）を越える。この場合、情報生成部１８４は、発電容量が大きい方の太陽電池ストリングＰＶｂでの最大点設定処理を”実施する”に設定する。従って、太陽電池ストリングＰＶｂでは、所定のタイミングで最大点設定処理が実施され、該タイミング以外ではたとえば山登り法を用いたＭＰＰＴ制御が行われる。また、さらに５［ｍｉｎ］の経過後にて増加して発電電力比Ｒが上記の上限閾値Ｗｓｈ以下になった場合、発電容量が大きい方の太陽電池ストリングＰＶｂには、最大点設定処理が”実施しない”に設定される。そのため、太陽電池ストリングＰＶｂでは、所定のタイミングでの最大点設定処理が実施されず、たとえば山登り法を用いた通常のＭＰＰＴ制御が連続して行われる。
【００６５】
なお、上述の例示では、発電電力Ｗａの低下時及び／又は発電電力Ｗｂの増加時での発電電力比Ｒの上限閾値Ｗｓｈ及び下限閾値Ｗｓｌと、発電電力Ｗａの増加時及び／又は発電電力Ｗｂの低下時での発電電力比Ｒの上限閾値Ｗｓｈ及び下限閾値Ｗｓｌとがそれぞれ同じ値とされているが、この例示に限定されず、両者は異なる値であってもよい。
【００６６】
また、上述の例示では、太陽電池ストリングＰＶａ、ＰＶｂの発電容量が異なる場合を説明した。この例示とは異なり、太陽電池ストリングＰＶａ、ＰＶｂの発電容量が同じである場合には、発電電力比Ｒが下限閾値Ｗｓｌ未満になるか否かに応じて、瞬時の発電電力Ｗが小さい方の太陽電池ストリングＰＶに対して最大点設定処理を”実施する”／”実施しない”を切り替えて設定してもよい。さらに、発電電力比Ｒが上限閾値Ｗｓｈを越えるか否かに応じて、瞬時の発電電力Ｗが大きい方の太陽電池ストリングＰＶに対して最大点設定処理を”実施する”／”実施しない”を切り替えて設定してもよい。
【００６７】
（第２実施例）
次に、図３を再び参照して第２実施例を説明する。第２実施例では、太陽電池ストリングＰＶａ、ＰＶｂの各発電電力Ｗａ、Ｗｂの経時変化に基づいて、条件設定情報が生成又は編集される。なお、発電電力Ｗａ、Ｗｂの電力閾値は太陽電池ストリングＰＶａ、ＰＶｂ毎に設定されている。
【００６８】
図３において、当初の時点からたとえば１０［ｍｉｎ］の経過後に、太陽電池ストリングＰＶａの発電電力Ｗａが大幅に低下して５００［Ｗ］となる。この場合、発電監視部１８３は、発電電力Ｗａが電力閾値（たとえば７００［Ｗ］）未満となる太陽電池ストリングＰＶａを検知する。情報生成部１８４は、検知された太陽電池ストリングＰＶａでの最大点設定処理を”実施する”に設定する。従って、太陽電池ストリングＰＶａでは、所定のタイミングで最大点設定処理が実施される。なお、上記タイミング以外では、たとえば山登り法を用いたＭＰＰＴ制御が行われる。
【００６９】
また、さらに５［ｍｉｎ］の経過後に、太陽電池ストリングＰＶａの発電電力Ｗａが増加して１０００［Ｗ］となる。この場合、発電監視部１８３は、発電電力Ｗａが上記の電力閾値以上となる太陽電池ストリングＰＶａを検知する。情報生成部１８４は、検知された太陽電池ストリングＰＶａに最大点設定処理を”実施しない”に設定する。従って、太陽電池ストリングＰＶａでは、所定のタイミングでの最大点設定処理が実施されず、たとえば山登り法を用いた通常のＭＰＰＴ制御が連続して行われる。
【００７０】
なお、上述の例示では、発電電力Ｗａの低下時での電力閾値と発電電力Ｗａの増加時での電力閾値とが同じ値とされているが、この例示に限定されず、両者は異なっていてもよい。
【００７１】
（第３実施例）
第３実施例では、太陽電池ストリングＰＶａ、ＰＶｂの発電電力Ｗａ、Ｗｂの理論値Ｗｔａ、Ｗｔｂ（以下、理論電力Ｗｔａ、Ｗｔｂ）が発電監視部１８３により算出されてメモリ１６に記憶される。そして、実際に出力される発電電力Ｗａ、Ｗｂと理論電力Ｗｔａ、Ｗｔｂとの比較結果に基づいて、条件設定情報が生成又は編集される。図４は、第２実施形態の第３実施例における太陽電池ストリングＰＶの発電制御例を示す概念図である。なお、理論電力Ｗｔａ、Ｗｔｂは、各太陽電池ストリングＰＶａ、ＰＶｂの発電容量、発電環境条件（たとえば理想的な日射光量、日射角度）などに基づいて設定される。図４では、理論電力Ｗｔａ、Ｗｔｂはそれぞれ、太陽電池ストリングＰＶａの発電容量１０００［Ｗ］、太陽電池ストリングＰＶｂの発電容量１５００［Ｗ］に設定されている。また、発電電力比ｒａ（＝Ｗａ／Ｗｔａ）、ｒｂ（＝Ｗｂ／Ｗｔｂ）の各閾値は太陽電池ストリングＰＶａ、ＰＶｂ毎に設定されている。
【００７２】
実際に運転した場合の当初の時点にて、太陽電池ストリングＰＶａ、ＰＶｂにたとえば影Ｓが掛かっておらず、各発電電力Ｗａ、Ｗｂはそれぞれ６６７［Ｗ］、１０００［Ｗ］になった場合を想定する。この場合、太陽電池ストリングＰＶａでの理論電力Ｗｔａに対する発電電力Ｗａの発電電力比ｒａはＷａ／Ｗｔａ＝０．６６７である。また、太陽電池ストリングＰＶｂでの理論電力Ｗｔｂに対する発電電力Ｗｂの発電電力比ｒｂはＷｂ／Ｗｔｂ≒０．６６７である。
【００７３】
当初の時点からたとえば１０［ｍｉｎ］の経過後に、太陽電池ストリングＰＶａに影Ｓが掛かって、発電電力Ｗａが大幅に低下して３３３［Ｗ］になった場合を想定する。この際、太陽電池ストリングＰＶａでの発電電力比ｒａはＷａ／Ｗｔａ＝０．３３３と大幅に変化して閾値（たとえば０．４００）未満となる。この場合、発電監視部１８３は、該閾値未満の発電電力比ｒａとなる太陽電池ストリングＰＶａを検知する。情報生成部１８４は、検知された太陽電池ストリングＰＶａに最大点設定処理を”実施する”に設定する。従って、太陽電池ストリングＰＶａでは、所定のタイミングで最大点設定処理が実施される。なお、上記タイミング以外ではたとえば山登り法を用いたＭＰＰＴ制御が行われる。
【００７４】
さらに５［ｍｉｎ］の経過後に、太陽電池ストリングＰＶａ、ＰＶｂのどちらにも影Ｓが掛かっておらず、発電電力Ｗａが増加して６６７［Ｗ］になった場合を想定する。この際、太陽電池ストリングＰＶａでの発電電力比ｒａはＷａ／Ｗｔａ＝０．６６７に変化して上記の閾値以上となる。この場合、発電監視部１８３は、該閾値以上の発電電力比ｒａとなる太陽電池ストリングＰＶａを検知する。情報生成部１８４は、検知された太陽電池ストリングＰＶａに最大点設定処理を”実施しない”に設定する。従って、太陽電池ストリングＰＶａでは、所定のタイミングでの最大点設定処理が実施されず、たとえば山登り法を用いた通常のＭＰＰＴ制御が連続して行われる。
【００７５】
なお、上述の例示では、発電電力Ｗａの低下時の閾値と発電電力Ｗａの増加時の閾値とが同じ値とされているが、この例示に限定されず、両者は異なっていてもよい。
【００７６】
（第４実施例）
第４実施例では、所定の一定期間にモニタリングした発電電力Ｗａの総電力量ΣＷａ［ｋＷｈ］と発電電力Ｗｂの総電力量ΣＷｂ［ｋＷｈ］の電力量比ΣＷａ／ΣＷｂが発電監視部１８３により算出される。さらに、該電力量比ΣＷａ／ΣＷｂに基づいて下限閾値Ｗｓｌと上限閾値Ｗｓｈとが設定されてメモリ１６に記憶される。そして、その後に出力される発電電力Ｗａ、Ｗｂの電力比Ｒ＝Ｗａ／Ｗｂと下限閾値Ｗｓｌ及び上限閾値Ｗｓｈとの比較結果に基づいて、条件設定情報が生成又は編集される。図５は、第２実施形態の第４実施例における太陽電池ストリングＰＶの発電制御例を示す概念図である。
【００７７】
一定期間（たとえば２０日間）のモニタリングにおいて、太陽電池ストリングＰＶａが１日当たりで平均して７．５［ｋＷｈ／ｄａｙ］の発電をし、且つ、太陽電池ストリングＰＶｂが１日当たりで平均して５．０［ｋＷｈ／ｄａｙ］の発電をした場合と考える。この場合、太陽電池ストリングＰＶａの総電力量ΣＷａは１５０［ｋＷｈ］となり、太陽電池ストリングＰＶｂの総電力量ΣＷｂは１００［ｋＷｈ］となる。従って、電力量比はΣＷａ／ΣＷｂ≒０．６６７となる。そして、下限閾値Ｗｓｌは、電力量比ΣＷａ／ΣＷｂに（１００−ｐ１）［％］を掛けた値｛（ΣＷａ／ΣＷｂ）×（１００−ｐ１）／１００｝に設定され、たとえば０．５００に設定される。上限閾値Ｗｓｈは、電力量比ΣＷａ／ΣＷｂに（１００＋ｐ２）［％］を掛けた値｛（ΣＷａ／ΣＷｂ）×（１００＋ｐ２）／１００｝に設定され、たとえば０．８００に設定される。なお、Ｐ１、Ｐ２は、０［％］より大きく且つ１００［％］よりも小さい範囲で設定可能である。また、Ｐ１、Ｐ２は同じ値であってもよいし異なる値であってもよい。
【００７８】
モニタリングした上記の一定期間（たとえば２０日間）からたとえば１ヶ月の経過後に、実際に運転した場合の当初の時点にて、太陽電池ストリングＰＶａ、ＰＶｂにたとえば影Ｓが掛かっておらず、各発電電力Ｗａ、Ｗｂはそれぞれ６６７［Ｗ］、１０００［Ｗ］になった場合を想定する。この場合、発電電力比Ｒは、たとえばＷａ／Ｗｂ≒０．６６７となり、下限閾値Ｗｓｌ以上且つ上限閾値Ｗｓｈ未満となっている。
【００７９】
次に、太陽電池ストリングＰＶａに影Ｓが掛かって、その発電電力Ｗａが大幅に低下して３３３［Ｗ］になった場合を想定する。この際、発電電力比ＲはＷａ／Ｗｂ≒０．３３３に変化して下限閾値Ｗｓｌ（たとえば０．５００）未満となる。この場合、情報生成部１８４は、発電容量が小さい方の太陽電池ストリングＰＶａでの最大点設定処理を”実施する”に設定する。従って、太陽電池ストリングＰＶａでは、所定のタイミングで最大点設定処理が実施される。但し、上記タイミング以外では、太陽電池ストリングＰＶａは、たとえば山登り法を用いてＭＰＰＴ制御される。
【００８０】
その後に、太陽電池ストリングＰＶａ、ＰＶｂのどちらにも影Ｓが掛かっておらず、発電電力Ｗａが増加して６６７［Ｗ］になった場合を想定する。この際、発電電力比ＲはＷａ／Ｗｂ≒０．６６７に変化して上記の下限閾値Ｗｓｌ以上となる。この場合、情報生成部１８４は、発電容量が小さい方の太陽電池ストリングＰＶａでの最大点設定処理を”実施しない”に設定する。従って、太陽電池ストリングＰＶａでは、所定のタイミングでの最大点設定処理が実施されず、たとえば山登り法を用いた通常のＭＰＰＴ制御が連続して行われる。
【００８１】
以上に説明した本実施形態によれば、電力制御装置１は、複数の太陽電池ストリングＰＶａ、ＰＶｂの発電電力Ｗａ、Ｗｂを監視する発電監視部１８３と、各々の発電電力Ｗａ、Ｗｂの変化に基づいて、条件設定情報を生成する情報生成部１８４とをさらに備える。
【００８２】
この構成によれば、発電電力Ｗａ、Ｗｂの変化に応じて、太陽電池ストリングＰＶａ、ＰＶｂ毎に最大点設定処理を実施するか否かを自動的に設定することができる。
【００８３】
また、本実施形態によれば、電力制御装置１において、発電監視部１８３は、第１太陽電池ストリングＰＶｂの第１発電電力Ｗｂに対する該第１太陽電池ストリングＰＶｂよりも発電容量が小さい第２太陽電池ストリングＰＶａの第２発電電力Ｗａの電力比率Ｒ（＝Ｗａ／Ｗｂ）を算出し、情報生成部１８４は、電力比率Ｒが下限閾値Ｗｓｌ未満であれば、第２太陽電池ストリングＰＶａに所定のタイミングで最大点設定処理を実施することを条件設定情報に設定し、電力比率（Ｗａ／Ｗｂ）が上限閾値Ｗｓｈを越えると、第１太陽電池ストリングに所定のタイミングで最大点設定処理を実施することを条件設定情報に設定する。
【００８４】
この構成によれば、電力比率Ｒが下限閾値Ｗｓｌ未満であれば、発電容量の低い第２太陽電池ストリングＰＶａに所定のタイミングで最大点設定処理を実施することが設定される。電力比率Ｒが上限閾値Ｗｓｈを越えれば、発電容量の大きい第１太陽電池ストリングＰＶｂに所定のタイミングで最大点設定処理を実施することが設定される。従って、第１太陽電池ストリングＰＶｂ、第２太陽電池ストリングＰＶａ毎に最大点設定処理を実施するか否かを自動的に設定することができる。
【００８５】
さらに、電力制御装置１において、下限閾値Ｗｓｌ及び上限閾値Ｗｓｈは、所定期間における複数の太陽電池ストリングＰＶａ、ＰＶｂの各々の発電電力Ｗａ、Ｗｂの総電力量比（ΣＷａ／ΣＷｂ）に基づいて設定される。
【００８６】
この構成によれば、所定期間における総電力量比（ΣＷａ／ΣＷｂ）と該所定期間後の各電力比率Ｒ（＝Ｗａ／Ｗｂ）を比較した結果に基づいて、各太陽電池ストリングＰＶａ、ＰＶｂで最大点設定処理を実施するか否かを自動的に設定することができる。
【００８７】
また、本実施形態によれば、電力制御装置１において、発電監視部１８３は、所定の理論電力Ｗｔａ、Ｗｔｂに対する発電電力Ｗａ、Ｗｂの比が閾値未満、又は発電電力Ｗが電力閾値未満となる第３太陽電池ストリングＰＶを検知し、情報生成部１８４は、第３太陽電池ストリングＰＶに最大点設定処理を実施することを条件設定情報に設定する。
【００８８】
さらに、情報生成部１８４は、第３太陽電池ストリングＰＶ以外の太陽電池ストリングＰＶに最大点設定処理を実施しないことを条件設定情報に設定する。なお、所定の理論電力Ｗｔａ、Ｗｔｂは、太陽電池ストリングＰＶの発電容量とされてもよい。或いは、所定の発電環境条件（理想的な日射光量、日射角度など）における太陽電池ストリングＰＶの発電電力Ｗａ、Ｗｂとされてもよい。
【００８９】
これらの構成によれば、各太陽電池ストリングＰＶａ、ＰＶｂの実際の発電電力Ｗａ、Ｗｂをそれらの理論値Ｗｔａ、Ｗｔｂと比較した結果に基づいて、各太陽電池ストリングＰＶａ、ＰＶｂに最大点設定処理を実施するか否かを自動的に設定することができる。
【００９０】
＜第３実施形態＞
次に、第３実施形態について説明する。第３実施形態では、コントローラ３がＰＣＳ１と一体（たとえば同じ筐体内）に設けられている。以下では、第１及び第２実施形態と異なる構成について説明する。また、第１及び第２実施形態と同様の構成部には同じ符号を付し、その説明を省略することがある。
【００９１】
図６は、太陽光発電システム１００の他の構成例を示すブロック図である。図６の太陽光発電システム１００では、ＰＣＳ１は、コントローラ３を内蔵しており、ＤＣ／ＤＣコンバータ１１（１１ａ、１１ｂ）と、インバータ１２と、平滑コンデンサ１３と、通信部１５と、メモリ１６と、ディップスイッチ１７と、ＩＣ１８と、表示部３１と、入力部３２と、通信Ｉ／Ｆ３４と、を備えている。ＩＣ１８は、機能的な構成要素として、動作点設定部１８１と、発電制御部１８２と、発電監視部１８３と、情報生成部１８４と、情報取得部３６１と、電力監視部３６２と、を有している。
【００９２】
この構成によれば、ＰＣＳ１とコントローラ３とを別々に設けなくてもよい。従って、電力システム１００の構成を簡略化できる。
【００９３】
以上、本発明の実施形態について説明した。なお、上述の実施形態は例示であり、その各構成要素及び各処理の組み合わせに色々な変形が可能であり、本発明の範囲にあることは当業者に理解されるところである。
【００９４】
たとえば、上述の第１〜第３実施形態において、ＩＣ１８及びＣＰＵ３６の機能的な構成要素１８１〜１８４、３６１〜３６２のうちの少なくとも一部又は全部は、物理的な構成要素（たとえば電気回路、素子、装置など）で実現されていてもよい。
【００９５】
また、上述の第１及び第２実施形態において、ＩＣ１８の機能の少なくとも一部はＣＰＵ３６で実現されてもよい。たとえば、ＣＰＵ３６がＩＣ１８の機能的な構成要素１８１〜１８４の少なくとも一つを有し、ＩＣ１８はＣＰＵ３６の指令に基づいてＤＣ／ＤＣコンバータ１１及びインバータ１２を制御してもよい。
【符号の説明】
【００９６】
１００                太陽光発電システム
１                      ＰＣＳ（パワーコンディショナ）
１１、１１ａ、１１ｂ      ＤＣ／ＤＣコンバータ
１１１、１１１ａ、１１１ｂ  変圧回路
１１２、１１２ａ、１１２ｂ  電流検出部
１１３、１１３ａ、１１３ｂ  電圧検出部
１２                      インバータ
１３                      平滑コンデンサ
１５                      通信部
１６                      メモリ
１７                      ディップスイッチ
１８                      ＩＣ
１８１                      動作点設定部
１８２                      発電制御部
１８３                      発電監視部
１８４                      情報生成部
３                      コントローラ
３１                      表示部
３２                      入力部
３３                      通信部
３４                      通信Ｉ／Ｆ
３５                      メモリ
３６                      ＣＰＵ
３６１                      情報取得部
３６２                      電力監視部
ＣＳ                    商用電力系統
Ｌ                      電力負荷
ＮＴ                    ネットワーク
Ｍ                      電力量計
ＢＬ                    バスライン
ＰＶ、ＰＶａ、ＰＶｂ    太陽電池ストリング
Ｐ                      通電路
【図１】
0006625469.tif 000002
【図２】
0006625469.tif 000003
【図３】
0006625469.tif 000004
【図４】
0006625469.tif 000005
【図５】
0006625469.tif 000006
【図６】
0006625469.tif 000007